(57)【要約】【課題】絞りカム板と絞り回し板との間に配置される部品の重なり方が円周位置で偏ることにより、羽根部材の動作の安定性が低下する虞がある。【解決手段】絞り兼用シャッタは、シャッタ羽根及び絞り羽根と、シャッタ羽根及び絞り羽根を回転可能に支持する第１の部材と、シャッタ羽根を揺動させるためのシャッタ羽根用カム溝及び絞り羽根を揺動させるための絞り羽根用カム溝を持つ第２の部材を備える。シャッタ羽根と絞り羽根は、第２の部材を挟んで対向する位置に配置されている。絞り兼用シャッタは、第１の部材と第２の部材とが相対的に回転動作することにより、絞り羽根により絞られた中心開口がシャッタ羽根によって遮蔽されて全閉する。【選択図】図２
2016080820.tif 000002
【特許請求の範囲】
【請求項１】
回転軸と作動軸とを有するシャッタ羽根及び少なくとも一枚の絞り羽根と、
所定の中心開口を有し、前記シャッタ羽根及び前記絞り羽根の各回転軸を回転可能に支持する第１の部材と、
前記第１の部材と同軸の中心開口を有し、該中心開口の開口軸を中心として該第１の部材と相対的な回転動作が可能な第２の部材であって、前記シャッタ羽根の作動軸を案内することで該シャッタ羽根を揺動させるシャッタ羽根用カム溝、及び前記絞り羽根の作動軸を案内することで該絞り羽根を揺動させる絞り羽根用カム溝を持つものと、
を備え、
前記シャッタ羽根と前記絞り羽根は、
前記第２の部材を挟んで対向する位置に配置されており、
前記第１の部材と前記第２の部材とが相対的に回転動作することにより、前記絞り羽根により絞られた中心開口が前記シャッタ羽根によって遮蔽されて全閉する、
【請求項２】
前記第１の部材と前記第２の部材とが相対的に回転動作することにより、前記絞り羽根が前記開口軸に近付く方向に動いて前記中心開口の開口面積を絞りつつ、該開口面積が該絞り羽根による最小開口面積に絞られるときに前記シャッタ羽根が該中心開口を遮蔽することで該中心開口を全閉する、
請求項１に記載の絞り兼用シャッタ。
【請求項３】
前記シャッタ羽根は、
前記第１の部材と前記第２の部材とが相対的に回転動作しているとき、前記絞り羽根に対して遅延しつつ前記開口軸に近付く方向に追従して動き、前記開口面積が該絞り羽根による最小開口面積に絞られるとき、該絞り羽根に追従した遅延位置から該絞り羽根よりも該開口軸側に進むことにより、前記中心開口を遮蔽して全閉する、
請求項２に記載の絞り兼用シャッタ。
【請求項４】
前記シャッタ羽根と前記絞り羽根は、
同一の羽根形状を持つ、
請求項１から請求項３の何れか一項に記載の絞り兼用シャッタ。
【発明の詳細な説明】
【技術分野】
【０００１】
本発明は、撮影装置に備えられる絞り兼用シャッタに関する。
【背景技術】
【０００２】
絞り機能とシャッタ機能とを兼ね備えた絞り兼用シャッタが知られている。絞り兼用シャッタの具体的構成は例えば特許文献１に記載されている。
【０００３】
特許文献１に記載の絞り兼用シャッタは、環状の絞りカム板と絞り回し板との間に複数枚の絞り羽根を備えている。絞りカム板と絞り回し板とが相対的に回転動作して各羽根が揺動することにより、複数枚の羽根の中央に形成される絞り開口の口径が絞られる。ここで、絞り開口を適正な円形に近づけようとすると、多数の絞り羽根が必要になると共に各羽根を緩やかな円弧状に長く延びた形状に設計する必要がある。しかし、このような構成では、絞り開口の中心で各羽根が機械的に干渉して重ね合わせることが困難となる。そのため、絞り開口を完全に遮蔽（全閉）することができず、シャッタとしての機能が得られない。そこで、特許文献１に記載の絞り兼用シャッタには、絞り開口を絞る絞り羽根とは別に、全閉状態を得るための専用のシャッタ羽根が備えられている。
【先行技術文献】
【特許文献】
【０００４】
【特許文献１】特開平４−１３３０３８号公報
【発明の概要】
【発明が解決しようとする課題】
【０００５】
特許文献１に記載の絞り兼用シャッタは、絞りカム板と絞り回し板との間に、開口を絞るための絞り羽根、絞り開口を全閉するためのシャッタ羽根、絞り羽根とシャッタ羽根との機械的干渉を避けるためのシートが重ねて配置されている。そのため、絞りカム板と絞り回し板との間に配置される部品の重なり方が円周位置で偏っている。そのため、羽根部材を動作させる際の負荷が、例えば部品同士が摩擦することによる静電気の発生等により、各円周位置に配置された羽根部材毎に異なる。この結果、羽根部材の動作の安定性が低下する虞がある。
【０００６】
本発明は上記の事情に鑑みてなされたものであり、その目的とするところは、羽根部材の動作の安定性を向上させるのに好適な絞り兼用シャッタを提供することである。
【課題を解決するための手段】
【０００７】
本発明の一実施形態に係る絞り兼用シャッタは、回転軸と作動軸とを有するシャッタ羽根及び少なくとも一枚の絞り羽根と、所定の中心開口を有し、シャッタ羽根及び絞り羽根の各回転軸を回転可能に支持する第１の部材と、第１の部材と同軸の中心開口を有し、中心開口の開口軸を中心として第１の部材と相対的な回転動作が可能な第２の部材であって、シャッタ羽根の作動軸を案内することでシャッタ羽根を揺動させるシャッタ羽根用カム溝、及び絞り羽根の作動軸を案内することで絞り羽根を揺動させる絞り羽根用カム溝を持つものとを備える。シャッタ羽根と絞り羽根は、第２の部材を挟んで対向する位置に配置されている。本発明の一実施形態に係る絞り兼用シャッタは、第１の部材と第２の部材とが相対的に回転動作することにより、絞り羽根により絞られた開口が前記シャッタ羽根によって遮蔽されて全閉する。
【０００８】
本発明の一実施形態に係る絞り兼用シャッタは、第１の部材と第２の部材とが相対的に回転動作することにより、絞り羽根が開口軸に近付く方向に動いて中心開口の開口面積を絞りつつ、開口面積が絞り羽根による最小開口面積に絞られるときにシャッタ羽根が中心開口を遮蔽することで中心開口を全閉する構成としてもよい。
【０００９】
本発明の一実施形態において、シャッタ羽根は、第１の部材と第２の部材とが相対的に回転動作しているとき、絞り羽根に対して遅延しつつ開口軸に近付く方向に追従して動き、開口面積が絞り羽根による最小開口面積に絞られるとき、絞り羽根に追従した遅延位置から絞り羽根よりも開口軸側に進むことにより、中心開口を遮蔽して全閉する構成としてもよい。
【００１０】
本発明の一実施形態において、シャッタ羽根と絞り羽根は、例えば同一の羽根形状を持つ。
【発明の効果】
【００１１】
本発明の一実施形態によれば、羽根部材の動作の安定性を向上させるのに好適な絞り兼用シャッタが提供される。
【図面の簡単な説明】
【００１２】
【図１】本発明の実施形態の撮影装置の構成を示すブロック図である。
【図２】本発明の実施形態の撮影装置に備えられる絞り兼用シャッタの構成を示す分解斜視図である。
【図３】本発明の実施形態の絞り兼用シャッタに備えられるカム板の構成を示す正面図である。
【図４】本発明の実施形態のカム板に絞り羽根を取り付けた状態を示す正面図（図４（ａ））、斜視図（図４（ｂ））、及びカム板に絞り羽根及びシャッタ羽根を取り付けた状態を示す斜視図（図４（ｃ））である。
【図５】本発明の実施形態において中心開口の開口径が絞り羽根により最小開口径に絞られたときの正面図（図５（ａ））、背面図（図５（ｂ））である。
【図６】本発明の実施形態において中心開口が全閉されたときの正面図（図６（ａ））、背面図（図６（ｂ））である。
【発明を実施するための形態】
【００１３】
以下、本発明の実施形態の撮影装置について図面を参照しながら説明する。以下においては、本発明の一実施形態として、コンパクトデジタルカメラについて説明する。なお、撮影装置は、コンパクトデジタルカメラに限らず、例えば、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１４】
［撮影装置１の構成］
図１は、本実施形態の撮影装置１の構成を示すブロック図である。図１に示されるように、撮影装置１は、ＣＰＵ（Central Processing Unit）１０２、操作部１０４、絞り兼用シャッタ駆動回路１０６、撮影レンズ１０８、絞り兼用シャッタ１１０、イメージセンサ１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。
【００１５】
操作部１０４には、電源スイッチやレリーズスイッチ、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１０２は電源供給後、ＲＯＭ１２６にアクセスして制御プログラムを読み出してワークエリア（不図示）にロードし、ロードされた制御プログラムを実行することにより、撮影装置１全体の制御を行う。
【００１６】
レリーズスイッチが操作されると、ＣＰＵ１０２は、ＴＴＬ（Through The Lens）露出計等の測光センサ（不図示）により測定された測光値に基づき適正露出が得られるように、絞り兼用シャッタ駆動回路１０６を介して絞り兼用シャッタ１１０を駆動制御する。より詳細には、絞り兼用シャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１０２はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００１７】
被写体からの光束は、撮影レンズ１０８及び絞り兼用シャッタ１１０を通過してイメージセンサ１１２により受光される。イメージセンサ１１２は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、信号処理回路１１４に出力する。
【００１８】
信号処理回路１１４は、イメージセンサ１１２より入力される電気信号（撮影データ）に対して所定の信号処理を施して、画像処理エンジン１１６に出力する。画像処理エンジン１１６は、信号処理回路１１４より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。
【００１９】
カード用インタフェース１２０のカードスロットには、メモリカード２００が着脱可能に差し込まれている。
【００２０】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置１に備えられる不図示の内蔵メモリ）に保存する。
【００２１】
また、画像処理エンジン１１６は、Ｙ／Ｃ分離後の信号に所定の信号処理を施して、フレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画を、ＬＣＤ１２４の表示画面を通じて視認することができる。
【００２２】
画像処理エンジン１１６は、ユーザにより撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００２３】
図２は、絞り兼用シャッタ１１０の構成を示す分解斜視図である。図２に示されるように、絞り兼用シャッタ１１０は、それぞれが円環形状を持つ絞り羽根回し部材１１０１、カム板１１０３、シャッタ羽根回し板１１０５を備えている。絞り羽根回し部材１１０１、カム板１１０３、シャッタ羽根回し板１１０５はそれぞれ、撮影レンズ１０８の光軸を中心とした同軸の中心開口１１０１ａ、１１０３ａ、１１０５ａを有している。以下、説明の便宜上、撮影レンズ１０８の光軸と一致する中心開口の中心軸を「開口軸」と記す。これらの中心開口のうち最も小さい中心開口（例えばカム板１１０３の中心開口１１０３ａ）が絞り兼用シャッタ１１０の全開状態（全開時の開口径）を規定する。絞り兼用シャッタ１１０は、中心開口（絞り開口）の開口径を絞ることにより、撮影装置１のＦ値を制御する。
【００２４】
絞り羽根回し部材１１０１とカム板１１０３との間には複数枚（本実施形態では９枚）の絞り羽根１１０２が配置されている。また、カム板１１０３とシャッタ羽根回し板１１０５との間には一枚のシャッタ羽根１１０４が配置されている。絞り羽根１１０２及びシャッタ羽根１１０４は、例えばステンレス製の薄板や樹脂フィルム等の板材を羽根形状にプレスしたプレス加工品に２つのダボ部材（回転軸、作動軸）を取り付けることにより形成されている。以下、説明の便宜上、絞り羽根１１０２の回転軸、作動軸のそれぞれに、符号１１０２ａ、１１０２ｂを付す。また、シャッタ羽根１１０４の回転軸、作動軸のそれぞれに、符号１１０４ａ、１１０４ｂを付す。図２に示されるように、絞り羽根１１０２の回転軸１１０２ａは、絞り羽根回し部材１１０１側に所定量突設されており、絞り羽根１１０２の作動軸１１０２ｂは、カム板１１０３側に所定量突設されている。また、シャッタ羽根１１０４の回転軸１１０４ａは、シャッタ羽根回し板１１０５側に所定量突設されており、シャッタ羽根１１０４の作動軸１１０４ｂは、カム板１１０３側に所定量突設されている。本実施形態では、絞り羽根１１０２の羽根形状とシャッタ羽根１１０４の羽根形状が同一である。すなわち、本実施形態では、これらの羽根形状を同一に設計してプレス金型を共通化することで、製造コストが抑えられている。
【００２５】
なお、絞り羽根１１０２は複数枚に限らず、１枚であってもよい。
【００２６】
絞り羽根回し部材１１０１には、９つの回転軸用穴１１０１ｂが円周方向に等間隔で（中心開口１１０１ａの開口軸を中心として４０°ずつ回転された位置に）並べて形成されている。各回転軸用穴１１０１ｂには、対応する絞り羽根１１０２の回転軸１１０２ａが回転可能に挿入され軸支される。また、シャッタ羽根回し板１１０５には、１つの回転軸用穴１１０５ｂが形成されている。回転軸用穴１１０５ｂには、シャッタ羽根１１０５の回転軸１１０５ａが回転可能に挿入され軸支される。
【００２７】
図３は、カム板１１０３単体の構成を示す正面図である。図４（ａ）、図４（ｂ）はそれぞれ、カム板１１０３に絞り羽根１１０２を取り付けた状態を示す正面図、斜視図である。図４（ｃ）は、図４（ｂ）に対して更にシャッタ羽根１１０４を取り付けた状態を示す斜視図である。
【００２８】
図３に示されるように、カム板１１０３には、９つの絞り羽根用カム溝１１０３ｂが円周方向に等間隔で（中心開口１１０３ａの開口軸を中心として４０°ずつ回転された位置に）並べて形成されている。カム板１１０３にはまた、９つの絞り羽根用カム溝１１０３ｂのうちの一対の絞り羽根用カム溝１１０３ｂの間に、絞り羽根用カム溝１１０３ｂとは形状の異なるシャッタ羽根用カム溝１１０３ｃが１つ形成されている。図４（ｂ）や図４（ｃ）に示されるように、各絞り羽根用カム溝１１０３ｂには、対応する絞り羽根１１０２の作動軸１１０２ｂが絞り羽根用カム溝１１０３ｂ沿いに移動可能に挿入される。また、シャッタ羽根用カム溝１１０３ｃには、シャッタ羽根１１０４の作動軸１１０４ｂがシャッタ羽根用カム溝１１０３ｃ沿いに移動可能に挿入される。
【００２９】
図２に示されるように、絞り羽根回し部材１１０１、シャッタ羽根回し板１１０５にはそれぞれ、アクチュエータのギア機構（不図示）と噛み合うギア１１０１ｃ（図面上不可視）、１１０５ｃが形成されている。ギア機構の動作がギア１１０１ｃ及び１１０５ｃに伝達されると、絞り羽根回し部材１１０１及びシャッタ羽根回し板１１０５が開口軸を中心として同期して回転する。これにより、絞り羽根回し部材１１０１及びシャッタ羽根回し板１１０５とカム板１１０３とが回転方向に相対変位する。
【００３０】
ここで、図５（ａ）、図５（ｂ）のそれぞれに、中心開口の開口径が９枚の絞り羽根１１０２により最小開口径に絞られたときの正面図、背面図を示す。また、図６（ａ）、図６（ｂ）のそれぞれに、中心開口が全閉されたときの正面図、背面図を示す。なお、図５及び図６の各図においては、説明の便宜上、絞り羽根１１０２、カム板１１０３及びシャッタ羽根１１０４のみ示す。
【００３１】
絞り羽根回し部材１１０１とカム板１１０３とが回転方向に相対変位したときの動作について説明する。このとき、各絞り羽根１１０２は、回転軸用穴１１０１ｂに軸支された回転軸１１０２ａを中心に回転（揺動）される。回転軸１１０２ａを中心とする絞り羽根１１０２の角速度（位相）は、作動軸１１０２ｂが絞り羽根用カム溝１１０３ｂ内を案内されることにより制御される。各絞り羽根用カム溝１１０３ｂは同一のカム形状を有している。そのため、各絞り羽根１１０２は、同期した角速度（位相）で回転される。各絞り羽根１１０２は、例えば、開口軸と直交する面内において作動軸１１０２ｂが絞り羽根用カム溝１１０３ｂ内を開口軸に近付く方向に案内されたとき、開口軸に向かって互いに同期して動くことにより、中心開口の開口面積を絞る。
【００３２】
各絞り羽根１１０２は、開口軸側の縁１１０２ｃが緩やかな曲線を描く形状となっている。各絞り羽根１１０２は、作動軸１１０２ｂが絞り羽根用カム溝１１０３ｂ内を案内されて互いに同期して動かされると、縁１１０２ｃにより円形に近い絞り開口形状を規定する。そのため、本実施形態では、「中心開口の開口面積を絞る」、「中心開口の開口面積を広げる」はそれぞれ、「中心開口の開口径を絞る」、「中心開口の開口径を広げる」と実質的に同義である。なお、以下においては、説明の便宜上、縁１１０２ｃを「絞り開口規定縁１１０２ｃ」と記す。
【００３３】
図５（ａ）に示されるように、中心開口は、開口軸と直交する面内において各絞り羽根１１０２の作動軸１１０２ｂが絞り羽根用カム溝１１０３ｂ内を開口軸に近付く方向に案内されることにより、最小開口径に絞られる。
【００３４】
また、各絞り羽根１１０２は、開口軸と直交する面内において作動軸１１０２ｂが絞り羽根用カム溝１１０３ｂ内を開口軸から遠ざかる方向に案内されたとき、開口軸から遠ざかる方向に互いに同期して動くことにより、中心開口の開口径を広げる。中心開口は、各絞り羽根１１０２の作動軸１１０２ｂが絞り羽根用カム溝１１０３ｂによって開口軸から最も離れた位置まで案内されることにより、全開状態となる。
【００３５】
シャッタ羽根回し板１１０５とカム板１１０３とが回転方向に相対変位したときの動作について説明する。このとき、シャッタ羽根１１０４は、回転軸用穴１１０５ｂに軸支された回転軸１１０４ａを中心に回転（揺動）される。回転軸１１０４ａを中心とするシャッタ羽根１１０４の角速度（位相）は、作動軸１１０４ｂがシャッタ羽根用カム溝１１０３ｃ内を案内されることにより制御される。
【００３６】
シャッタ羽根用カム溝１１０３ｃは、シャッタ羽根１１０４を絞り羽根１１０２に対して遅延した角速度（位相）で案内する形状となっている。シャッタ羽根１１０４は、開口軸と直交する面内において作動軸１１０４ｂがシャッタ羽根用カム溝１１０３ｃ内を開口軸に近付く方向に案内されたとき、各絞り開口規定縁１１０２ｃにより規定される絞り開口内に侵入しないように絞り羽根１１０２に対して遅延しつつ開口軸に向かって追従して動く。すなわち、シャッタ羽根１１０４は、絞り開口の形成には寄与しない。なお、別の実施形態では、シャッタ羽根１１０４が絞り開口の形成に寄与するように、シャッタ羽根用カム溝１１０３ｃやシャッタ羽根１１０４が形成されてもよい。別の実施形態では、絞り開口の形成にシャッタ羽根１１０４を利用することで、絞り開口（開口径の変化具合や開口形状）について設計の自由度が増す。
【００３７】
図５（ｂ）に示されるように、シャッタ羽根１１０４は、中心開口が各絞り羽根１１０２により最小開口径に絞られたとき、最小開口径に絞られた絞り開口の近傍に位置する。シャッタ羽根用カム溝１１０３ｃは、開口軸側の端部付近でシャッタ羽根１１０４を絞り羽根１１０２に対して進んだ位相で案内する形状となっている。そのため、図６（ａ）及び図６（ｂ）に示されるように、絞り羽根回し部材１１０１及びシャッタ羽根回し板１１０５とカム板１１０３とが図５の状態から更に回転方向に相対変位すると、シャッタ羽根１１０４が各絞り開口規定縁１１０２ｃにより規定される絞り開口（最小開口）内に侵入して、絞り開口を遮蔽して全閉する。本実施形態では、中心開口が最小開口径に絞られるときにシャッタ羽根１１０４を最小開口の近傍に位置させることにより、シャッタ羽根１１０４による最小開口状態から全閉状態への遷移が迅速に行われる。なお、各絞り羽根用カム溝１１０３ｂは、開口軸側の端部付近で絞り羽根１１０２をゼロに近い角速度で案内する。そのため、図５から図６の状態に遷移した場合も、各絞り羽根１１０２による中心開口の最小開口径は実質的に変わらない。
【００３８】
このように、本実施形態では、絞り羽根１１０２とシャッタ羽根１１０４とがカム板１１０３を挟んで対向する位置に配置されている。絞り羽根回し部材１１０１とカム板１１０３との間においては、９枚の絞り羽根１１０２が円周方向に等間隔で並べて配置されており、部品の重なり方が円周位置で均等である。そのため、絞り羽根１１０２を動作させる際の負荷が各円周位置に配置された絞り羽根１１０２間で実質的に等しく、絞り羽根１１０２の動作の安定性が向上する。また、シャッタ羽根回し板１１０５とカム板１１０３との間には１枚のシャッタ羽根１１０４しか配置されておらず、部品同士の重なりがない。そのため、動作時の負荷が羽根部材間で異なるという問題がそもそも生じない。
【００３９】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００４０】
例えば、絞り羽根回し部材１１０１とシャッタ羽根回し板１１０５は、本実施形態では別個独立した部品であるが、別の実施形態では一体化された単一の部品であってもよい。
【符号の説明】
【００４１】
１  撮影装置
１０２  ＣＰＵ
１０４  操作部
１０６  絞り兼用シャッタ駆動回路
１０８  撮影レンズ
１１０  絞り兼用シャッタ
１１０１  絞り羽根回し部材
１１０１ａ  中心開口
１１０１ｂ  回転軸用穴
１１０１ｃ  ギア
１１０２  絞り羽根
１１０２ａ  回転軸
１１０２ｂ  作動軸
１１０２ｃ  絞り開口規定縁
１１０３  カム板
１１０３ａ  中心開口
１１０３ｂ  絞り羽根用カム溝
１１０３ｃ  シャッタ羽根用カム溝
１１０４  シャッタ羽根
１１０４ａ  回転軸
１１０４ｂ  作動軸
１１０５  シャッタ羽根回し板
１１０５ａ  中心開口
１１０５ｂ  回転軸用穴
１１０５ｃ  ギア
１１２  イメージセンサ
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  メモリカード
【図１】
2016080820.tif 000003
【図２】
2016080820.tif 000004
【図３】
2016080820.tif 000005
【図４】
2016080820.tif 000006
【図５】
2016080820.tif 000007
【図６】
2016080820.tif 000008